(57)【要約】【課題】不要部分を正確に削除する。【解決手段】ＨＤＤレコーダのＭＰＵ１１は、削除対象映像情報の開始位置及び終了位置を示す削除開始位置及び削除終了位置を設定する削除範囲設定部１１４と、削除開始位置から第１所定時間前の位置を確認開始位置として設定する確認開始位置設定部１１５と、削除終了位置から第２所定時間後の位置を確認終了位置として設定する確認終了位置設定部１１６と、確認開始位置から削除開始位置までの映像情報を映像記憶部１９１から読み出して再生すると共に、削除終了位置から確認終了位置までの映像情報を映像記憶部１９１から読み出して再生する確認映像表示部１１７と、削除判定部１１８によって削除すると判定された場合に、映像記憶部１９１から設定された削除対象映像情報を削除する削除実行部１１９と、を備えている。【選択図】図２
2009005125.tif 000002
【特許請求の範囲】
【請求項１】
予め格納された映像情報を再生してモニタに表示する映像再生装置であって、
予め映像情報を格納する映像記憶手段と、
外部からの操作入力を受け付けて、受け付けられた操作入力に基づいて、前記映像記憶手段に格納された映像情報の内、削除する対象とする映像情報である削除対象映像情報の開始位置を示す削除開始位置、及び、前記削除対象映像情報の終了位置を示す削除終了位置を設定する削除範囲設定手段と、
前記削除範囲設定手段によって設定された削除開始位置から予め設定された第１所定時間前の位置を、削除対象映像情報を確認する際に再生する映像情報の開始位置を示す確認開始位置として設定する確認開始位置設定手段と、
前記削除範囲設定手段によって設定された削除終了位置から予め設定された第２所定時間後の位置を、削除対象映像情報を確認する際に再生する映像情報の終了位置を示す確認終了位置として設定する確認終了位置設定手段と、
前記確認開始位置設定手段によって設定された確認開始位置から、前記削除範囲設定手段によって設定された削除開始位置までの映像情報を前記映像記憶手段から読み出して再生し、モニタに表示すると共に、前記削除範囲設定手段によって設定された削除終了位置から、前記確認終了位置設定手段によって設定された確認終了位置までの映像情報を前記映像記憶手段から読み出して再生し、モニタに表示する確認映像表示手段と、
外部からの操作入力を受け付けて、受け付けられた操作入力に基づいて、前記削除範囲設定手段によって設定された削除対象映像情報を、前記映像記憶手段から削除するか否かを判定する削除判定手段と、
前記削除判定手段によって削除すると判定された場合に、前記映像記憶手段から前記削除範囲設定手段によって設定された削除対象映像情報を削除する削除実行手段と、
を備えることを特徴とする映像再生装置。
【請求項２】
外部からの操作入力を受け付けて、受け付けられた操作入力に基づいて、前記第１時間設定手段を備えることを特徴とする請求項１に記載の映像再生装置。
【請求項３】
外部からの操作入力を受け付けて、受け付けられた操作入力に基づいて、前記第２所定時間を設定する第２時間設定手段を備えることを特徴とする請求項１又は請求項２に記載の映像再生装置。
【請求項４】
スピーカに音声を出力可能に構成され、
前記映像記憶手段は、映像情報に対応付けて音声情報を予め格納し、
前記確認映像表示手段は、前記確認開始位置設定手段によって設定された確認開始位置から、前記削除範囲設定手段によって設定された削除開始位置までの音声情報を前記映像記憶手段から読み出して再生し、スピーカに出力すると共に、前記削除範囲設定手段によって設定された削除終了位置から、前記確認開始位置設定手段によって設定された確認終了位置までの音声情報を前記映像記憶手段から読み出して再生し、スピーカに出力し、
前記削除実行手段は、前記削除判定手段によって削除すると判定された場合に、前記映像記憶手段から前記削除範囲設定手段によって設定された削除対象情報に対応する音声情報を削除することを特徴とする請求項１〜請求項３のいずれかに記載の映像再生装置。
【請求項５】
テレビジョン放送を受信して、受信された映像情報を格納すると共に、格納された映像情報をモニタに表示可能に構成された放送記録再生装置であって、
テレビジョン放送を受信する受信手段と、
請求項１〜請求項４のいずれかに記載の映像再生装置と、
外部からの操作入力を受け付けて、受け付けられた操作入力に基づいて、前記受信手段を介して受信された映像情報を前記映像記憶手段に格納する映像記録手段と、
を備えることを特徴とする放送記録再生装置。
【発明の詳細な説明】
【技術分野】
【０００１】
本発明は、予め格納された映像情報を再生してモニタに表示する映像再生装置、及び、テレビジョン放送を受信して、受信された映像情報を格納すると共に、格納された映像情報をモニタに表示可能に構成された放送記録再生装置に関する。
【背景技術】
【０００２】
近年、テレビジョン放送を受信して、受信された映像情報を格納すると共に、格納された映像情報をモニタに表示可能に構成されたＨＤＤレコーダ等の放送記録再生装置が普及している。一方、ＨＤＤレコーダに格納された映像情報には、ユーザが視聴を所望しない不要部分（例えば、ＣＭに対応する映像情報等）が含まれている場合があり、ユーザが不要部分を選択して削除するための、種々の方法、装置等が提案されている。
【０００３】
例えば、不要録画部分を含むタイトル録画が行われた記録媒体の有効録画部分の開始位置の目視による決定を受け付け、有効録画部分の録画時間の通知を受け付け、記録媒体のタイトル録画の開始位置より前方の不要録画部分及び開始位置から通知された録画時間だけ進んだ位置より後方の不要録画部分を消去する録画編集装置が開示されている。（特許文献１参照）。
【特許文献１】特開２００７−９５１４１号公報
【発明の開示】
【発明が解決しようとする課題】
【０００４】
しかしながら、上記録画編集装置等の従来の放送記録再生装置においては、不要部分を削除した場合に、不要部分の設定が正確ではないことに起因して、ユーザが視聴を所望する映像情報の一部が削除されてしまう場合がある。このような場合に、一旦削除された映像情報等を復元することは困難であるため、利便性が充分ではない場合があった。
【０００５】
本発明は、上記課題に鑑みてなされたものであって、不要部分を正確に削除することの可能な映像再生装置及び放送記録再生装置を提供することを目的としている。
【課題を解決するための手段】
【０００６】
上記目的を達成するために請求項１に記載の映像再生装置は、予め格納された映像情報を再生してモニタに表示する映像再生装置であって、予め映像情報を格納する映像記憶手段と、外部からの操作入力を受け付けて、受け付けられた操作入力に基づいて、前記映像記憶手段に格納された映像情報の内、削除する対象とする映像情報である削除対象映像情報の開始位置を示す削除開始位置、及び、前記削除対象映像情報の終了位置を示す削除終了位置を設定する削除範囲設定手段と、前記削除範囲設定手段によって設定された削除開始位置から予め設定された第１所定時間前の位置を、削除対象映像情報を確認する際に再生する映像情報の開始位置を示す確認開始位置として設定する確認開始位置設定手段と、前記削除範囲設定手段によって設定された削除終了位置から予め設定された第２所定時間後の位置を、削除対象映像情報を確認する際に再生する映像情報の終了位置を示す確認終了位置として設定する確認終了位置設定手段と、前記確認開始位置設定手段によって設定された確認開始位置から、前記削除範囲設定手段によって設定された削除開始位置までの映像情報を前記映像記憶手段から読み出して再生し、モニタに表示すると共に、前記削除範囲設定手段によって設定された削除終了位置から、前記確認終了位置設定手段によって設定された確認終了位置までの映像情報を前記映像記憶手段から読み出して再生し、モニタに表示する確認映像表示手段と、外部からの操作入力を受け付けて、受け付けられた操作入力に基づいて、前記削除範囲設定手段によって設定された削除対象映像情報を、前記映像記憶手段から削除するか否かを判定する削除判定手段と、前記削除判定手段によって削除すると判定された場合に、前記映像記憶手段から前記削除範囲設定手段によって設定された削除対象映像情報を削除する削除実行手段と、を備えることを特徴としている。
【０００７】
請求項２に記載の映像再生装置は、請求項１に記載の映像再生装置であって、外部からの操作入力を受け付けて、受け付けられた操作入力に基づいて、前記第１所定時間を設定する第１時間設定手段を備えることを特徴としている。
【０００８】
請求項３に記載の映像再生装置は、請求項１又は請求項２に記載の映像再生装置であって、外部からの操作入力を受け付けて、受け付けられた操作入力に基づいて、前記第２所定時間を設定する第２時間設定手段を備えることを特徴としている。
【０００９】
請求項４に記載の映像再生装置は、請求項１〜請求項３のいずれかに記載の映像再生装置であって、スピーカに音声を出力可能に構成され、前記映像記憶手段が、映像情報に対応付けて音声情報を予め格納し、前記確認映像表示手段が、前記確認開始位置設定手段によって設定された確認開始位置から、前記削除範囲設定手段によって設定された削除開始位置までの音声情報を前記映像記憶手段から読み出して再生し、スピーカに出力すると共に、前記削除範囲設定手段によって設定された削除終了位置から、前記確認開始位置設定手段によって設定された確認終了位置までの音声情報を前記映像記憶手段から読み出して再生し、スピーカに出力し、前記削除実行手段が、前記削除判定手段によって削除すると判定された場合に、前記映像記憶手段から前記削除範囲設定手段によって設定された削除対象情報に対応する音声情報を削除することを特徴としている。
【００１０】
請求項５に記載の放送記録再生装置は、テレビジョン放送を受信して、受信された映像情報を格納すると共に、格納された映像情報をモニタに表示可能に構成された放送記録再生装置であって、テレビジョン放送を受信する受信手段と、請求項１〜請求項４のいずれかに記載の映像再生装置と、外部からの操作入力を受け付けて、受け付けられた操作入力に基づいて、前記受信手段を介して受信された映像情報を前記映像記憶手段に格納する映像記録手段と、を備えることを特徴としている。
【発明の効果】
【００１１】
請求項１に記載の映像再生装置によれば、映像記憶手段に予め映像情報が格納されており、外部からの操作入力が受け付けられて、受け付けられた操作入力に基づいて、映像記憶手段に格納された映像情報の内、削除する対象とする映像情報である削除対象映像情報の開始位置を示す削除開始位置、及び、前記削除対象映像情報の終了位置を示す削除終了位置が設定される。そして、削除開始位置から予め設定された第１所定時間前の位置が、削除対象映像情報を確認する際に再生する映像情報の開始位置を示す確認開始位置として設定され、設定された削除終了位置から予め設定された第２所定時間後の位置が、削除対象映像情報を確認する際に再生する映像情報の終了位置を示す確認終了位置として設定される。また、設定された確認開始位置から削除開始位置までの映像情報が映像記憶手段から読み出されて再生され、モニタに表示されると共に、設定された削除終了位置から確認終了位置までの映像情報が映像記憶手段から読み出されて再生され、モニタに表示される。更に、外部からの操作入力を受け付けられて、受け付けられた操作入力に基づいて、設定された削除対象映像情報を映像記憶手段から削除するか否かが判定され、削除すると判定された場合に、映像記憶手段から設定された削除対象映像情報が削除されるため、不要部分を正確に削除することができる。
【００１２】
すなわち、設定された確認開始位置から削除開始位置までの映像情報が映像記憶手段から読み出されて再生され、モニタに表示されると共に、設定された削除終了位置から確認終了位置までの映像情報が映像記憶手段から読み出されて再生され、モニタに表示されるため、ユーザはモニタに表示される削除対象映像情報の前後の映像情報を視認することによって、不要部分が正確に削除されているか否かを判断することができるのである。
【００１３】
また、外部からの操作入力を受け付けられて、受け付けられた操作入力に基づいて、設定された削除対象映像情報を映像記憶手段から削除するか否かが判定され、削除すると判定された場合に、映像記憶手段から設定された削除対象映像情報が削除されるため、不要部分が正確に削除されていると判断した場合に、設定された削除対象映像情報を映像記憶手段から削除する旨の操作入力を行うことによって、映像記憶手段から設定された削除対象映像情報を削除することができるので、不要部分を正確に削除することができるのである。
【００１４】
請求項２に記載の映像再生装置によれば、外部からの操作入力が受け付けられて、受け付けられた操作入力に基づいて、削除対象映像情報を確認する際に再生する映像情報の開始位置を示す確認開始位置を規定する第１所定時間が設定されるため、第１所定時間としてユーザが所望する時間を設定することができる（＝ユーザが所望する確認開始位置を設定することができる）ので、利便性を向上することができる。
【００１５】
請求項３に記載の映像再生装置によれば、外部からの操作入力が受け付けられて、受け付けられた操作入力に基づいて、削除対象映像情報を確認する際に再生する映像情報の終了位置を示す確認終了位置を規定する第２所定時間が設定されるため、第２所定時間としてユーザが所望する時間を設定することができる（＝ユーザが所望する確認終了位置を設定することができる）ので、利便性を向上することができる。
【００１６】
請求項４に記載の映像再生装置によれば、スピーカに音声を出力可能に構成され、映像記憶手段に、映像情報に対応付けて音声情報が予め格納されている。そして、設定された確認開始位置から設定された削除開始位置までの音声情報が映像記憶手段から読み出されて再生され、スピーカに出力されると共に、設定された削除終了位置から設定された確認終了位置までの音声情報が映像記憶手段から読み出されて再生され、スピーカに出力される。また、削除すると判定された場合に、映像記憶手段から設定された削除対象情報に対応する音声情報が削除されるため、音声情報の不要部分を正確に削除することができる。
【００１７】
すなわち、設定された確認開始位置から削除開始位置までの音声情報が映像記憶手段から読み出されて再生され、スピーカに出力されると共に、設定された削除終了位置から確認終了位置までの音声情報が映像記憶手段から読み出されて再生され、スピーカに出力されるため、ユーザはスピーカに出力される削除対象音声情報の前後の音声情報を確認することによって、音声情報の不要部分が正確に削除されているか否かを判断することができるのである。
【００１８】
また、外部からの操作入力を受け付けられて、受け付けられた操作入力に基づいて、設定された削除対象音声情報を映像記憶手段から削除するか否かが判定され、削除すると判定された場合に、映像記憶手段から設定された削除対象音声情報が削除されるため、音声情報の不要部分が正確に削除されていると判断した場合に、設定された削除対象音声情報を映像記憶手段から削除する旨の操作入力を行うことによって、映像記憶手段から設定された削除対象音声情報を削除することができるので、音声情報の不要部分を正確に削除することができるのである。
【００１９】
請求項５に記載の放送記録再生装置によれば、外部からの操作入力が受け付けられて、受け付けられた操作入力に基づいて、受信手段を介して受信された映像情報が映像記憶手段に格納され、請求項１〜請求項４のいずれかに記載の映像再生装置を備えるため、不要部分を正確に削除することが可能な放送記録再生装置を実現することができる。
【発明を実施するための最良の形態】
【００２０】
以下に本発明の実施形態を、図面を参照しながら説明する。図１は、本発明に係るＨＤＤレコーダの構成の一例を示すブロック図である。ＨＤＤレコーダ１（映像再生装置、放送記録再生装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２１】
ＨＤＤレコーダ１は、リモコン３を介してユーザからの操作入力を受け付けて、受け付けた操作入力に基づいて、テレビジョン放送を受信し、受信した番組情報をＨＤＤ１９に格納するものである。また、ＨＤＤレコーダ１は、ＨＤＤ１９に格納された番組情報を読み出して再生し、出力装置２に対して映像及び音声を出力するものである。
【００２２】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２３】
リモコン３（映像記録手段の一部、第１時間設定手段の一部、第２時間設定手段の一部、削除範囲設定手段の一部、及び、削除判定手段の一部に相当する）は、ユーザからの操作入力を受け付けて、受け付けられた操作入力に対応する赤外線信号を生成して、ＨＤＤレコーダ１に対して出力するものである。
【００２４】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００２５】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２６】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２７】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２８】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２９】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３０】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３１】
ＨＤＤ（Ｈａｒｄ  Ｄｉｓｋ  Ｄｒｉｖｅ）１９は、ＭＰＵ１１からの指示に従って映像情報、音声情報等の種々の情報を格納するものである。
【００３２】
次に、ＨＤＤレコーダ１が放送を受信する場合の動作について説明する。まず、送信されてきたデジタル放送波がアンテナ部１５１で受信される。操作部１４（又は、リモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３３】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３４】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３５】
図２は、本発明に係るＨＤＤレコーダ１における主要部の構成の一例を示すブロック図である。ＭＰＵ１１は、機能的に、映像記録部１１１、第１時間設定部１１２、第２時間設定部１１３、削除範囲設定部１１４、確認開始位置設定部１１５、確認終了位置設定部１１６、確認映像表示部１１７、削除判定部１１８、及び、削除実行部１１９を備え、ＲＡＭ１２は、機能的に、設定時間記憶部１２１、及び、削除範囲記憶部１２２を備え、ＨＤＤ１９は、機能的に、映像記憶部１９１を備えている。
【００３６】
ここでは、ＭＰＵ１１が、図１に示すＲＯＭ１３等に予め格納された制御プログラムを読み出して実行することにより、映像記録部１１１、第１時間設定部１１２、第２時間設定部１１３、削除範囲設定部１１４、確認開始位置設定部１１５、確認終了位置設定部１１６、確認映像表示部１１７、削除判定部１１８、削除実行部１１９等の機能部として機能すると共に、ＲＡＭ１２を、設定時間記憶部１２１、削除範囲記憶部１２２等の機能部として機能させ、ＨＤＤ１９を、映像記憶部１９１等の機能部として機能させるものである。
【００３７】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３８】
設定時間記憶部１２１は、第１時間設定部１１２によって設定され、削除対象映像情報を確認する際に再生する映像情報の開始位置を示す確認開始位置を規定する第１所定時間情報、及び、第２時間設定部１１３によって設定され、削除対象映像情報を確認する際に再生する映像情報の終了位置を示す確認終了位置を規定する第２所定時間情報を格納するものである。設定時間記憶部１２１に格納された第１所定時間情報及び第２所定時間情報は、それぞれ、確認開始位置設定部１１５及び確認終了位置設定部１１６によって読み出されるものである。
【００３９】
削除範囲記憶部１２２は、削除範囲設定部１１４によって設定され、削除対象映像情報の開始位置を示す削除開始位置情報、及び、削除対象映像情報の終了位置を示す削除終了位置情報を格納するものである。削除範囲記憶部１２２に格納された削除開始位置情報及び削除終了位置情報は、確認開始位置設定部１１５、確認終了位置設定部１１６及び削除実行部１１９によって読み出されるものである。
【００４０】
映像記憶部１９１（映像記憶手段に相当する）は、映像記録部１１１によって受信部１５を介して受信された１のチャンネルの映像情報及び音声情報を含む番組情報を格納するものである。映像記憶部１９１に格納された番組情報は、確認映像表示部１１７によって読み出されると共に、削除実行部１１９によってその一部（削除対象映像情報及び削除対象音声情報）が削除されるものである。
【００４１】
映像記録部１１１（映像記録手段に相当する）は、リモコン３を介してユーザからの操作入力を受け付けて、受け付けられた操作入力に基づいて、１のチャンネルに対応する放送波を、受信部１５を介して受信すると共に、受信された１のチャンネルの映像情報及び音声情報を含む番組情報を、映像記憶部１９１に記録するものである。
【００４２】
第１時間設定部１１２（第１時間設定手段の一部に相当する）は、リモコン３を介してユーザからの操作入力を受け付けて、受け付けられた操作入力に基づいて、削除対象映像情報及び削除対象音声情報を確認する際に再生する映像情報及び音声情報の開始位置を示す確認開始位置を規定する第１所定時間Ｐ１（図３参照）を設定し、設定された第１所定時間情報を設定時間記憶部１２１に格納する（＝書き込む）ものである。
【００４３】
第２時間設定部１１３（第２時間設定手段の一部に相当する）は、リモコン３を介してユーザからの操作入力を受け付けて、受け付けられた操作入力に基づいて、削除対象映像情報及び削除対象音声情報を確認する際に再生する映像情報及び音声情報の終了位置を示す確認終了位置を規定する第２所定時間Ｐ２（図３参照）を設定し、設定された第２所定時間情報を設定時間記憶部１２１に格納する（＝記録する）ものである。
【００４４】
削除範囲設定部１１４（削除範囲設定手段の一部に相当する）は、リモコン３を介してユーザからの操作入力を受け付けて、受け付けられた操作入力に基づいて、映像記憶部１９１に格納された映像情報の内、削除する対象とする映像情報である削除対象映像情報の開始位置を示す削除開始位置Ｔ２（図３参照）、及び、削除対象映像情報の終了位置を示す削除終了位置Ｔ３（図５参照）を設定すると共に、設定された開始位置情報及び削除終了位置情報を削除範囲記憶部１２２に格納する（＝書き込む）ものである。
【００４５】
具体的には、削除範囲設定部１１４は、後述する図５（ａ）に示す削除範囲設定画面４００をディスプレイ２１に表示し、リモコン３を介してユーザからの操作入力を受け付けて、受け付けられた操作入力に基づいて、削除開始位置Ｔ２（図５（ａ）に示す削除開始位置表示マーク４０５に対応する位置）及び削除終了位置Ｔ３（図５（ａ）に示す削除終了位置表示マーク４０６に対応する位置）を設定するものである。
【００４６】
確認開始位置設定部１１５（確認開始位置設定手段に相当する）は、削除範囲設定部１１４によって設定された削除開始位置Ｔ２から、第１時間設定部１１２によって設定された第１所定時間Ｐ１前の位置を、削除対象映像情報を確認する際に再生する映像情報の開始位置を示す確認開始位置Ｔ１として設定するものである（図３参照）。
【００４７】
確認終了位置設定部１１６（確認終了位置設定手段に相当する）は、削除範囲設定部１１４によって設定された削除終了位置Ｔ３から、第２時間設定部１１３によって設定された第２所定時間Ｐ２後の位置を、削除対象映像情報を確認する際に再生する映像情報の終了位置を示す確認終了位置Ｔ４として設定するものである（図３参照）。
【００４８】
確認映像表示部１１７（確認映像表示手段に相当する）は、確認開始位置設定部１１５によって設定された確認開始位置Ｔ１から、削除範囲設定部１１４によって設定された削除開始位置Ｔ２までの映像情報及び音声情報を映像記憶部１９１から読み出して再生し、ディスプレイ２１及びスピーカ２２にそれぞれ出力すると共に、削除範囲設定部１１４によって設定された削除終了位置Ｔ３から、確認終了位置設定部１１６によって設定された確認終了位置Ｔ４までの映像情報及び音声情報を映像記憶部１９１から読み出して再生し、ディスプレイ２１及びスピーカ２２にそれぞれ出力するものである（図３参照）。
【００４９】
また、確認映像表示部１１７は、リモコン３を介してユーザからの操作入力を受け付けて、受け付けられた操作入力に基づいて、確認開始位置Ｔ１から削除開始位置Ｔ２までの再生、及び、削除終了位置Ｔ３から確認終了位置Ｔ４までの再生を行うか否かを判定し、再生を行うと判定された場合に、上記の再生処理を行うものである。
【００５０】
図３は、削除範囲設定部１１４によって設定される削除開始位置Ｔ２、削除終了位置Ｔ３、及び、確認開始位置設定部１１５、確認終了位置設定部１１６によってそれぞれ設定される確認開始位置Ｔ１、確認終了位置Ｔ４の一例を示す説明図である。図の横方向は時間であって、（ａ）は、映像記憶部１９１に格納された映像情報（又は音声情報）において、削除範囲設定部１１４によって設定される削除開始位置Ｔ２、削除終了位置Ｔ３、及び、確認開始位置設定部１１５、確認終了位置設定部１１６によってそれぞれ設定される確認開始位置Ｔ１、確認終了位置Ｔ４の位置を示す図であり、（ｂ）は、確認映像表示部１１７によって再生される映像情報及び音声情報の位置を示す図である。
【００５１】
（ａ）に示すように、確認開始位置設定部１１５によって、削除範囲設定部１１４により設定された削除開始位置Ｔ２（図のＡ点に対応する位置）から、第１時間設定部１１２により設定された第１所定時間Ｐ１前の位置が、削除対象映像情報を確認する際に再生する映像情報の開始位置を示す確認開始位置Ｔ１（図のＡ’点に対応する位置）として設定される。また、確認終了位置設定部１１６によって、削除範囲設定部１１４により設定された削除終了位置Ｔ３（図のＢ点に対応する位置）から、第２時間設定部１１３により設定された第２所定時間Ｐ２後の位置が、削除対象映像情報を確認する際に再生する映像情報の終了位置を示す確認終了位置Ｔ４（図のＢ’点に対応する位置）として設定される。
【００５２】
（ｂ）に示すように、確認映像表示部１１７によって、確認開始位置設定部１１５により設定された確認開始位置Ｔ１から、削除範囲設定部１１４により設定された削除開始位置Ｔ２までの映像情報及び音声情報が映像記憶部１９１から読み出されて再生され、削除範囲設定部１１４により設定された削除終了位置Ｔ３から、確認終了位置設定部１１６により設定された確認終了位置Ｔ４までの映像情報及び音声情報を映像記憶部１９１から読み出して再生するものである。すなわち、削除開始位置Ｔ２から削除終了位置Ｔ３までの映像情報及び音声情報（＝削除対象情報：図（ａ）の網掛け部）が削除された場合の、削除対象情報の前後の映像情報及び音声情報が、確認映像表示部１１７によって再生されるのである。
【００５３】
再び、図２に戻って、ＭＰＵ１１の機能構成について説明する。削除判定部１１８（削除判定手段の一部に相当する）は、リモコン３を介してユーザからの操作入力を受け付けて、受け付けられた操作入力に基づいて、削除範囲設定部１１４によって設定された削除対象映像情報及び削除対象音声情報を、映像記憶部１９１から削除するか否かを判定するものである。
【００５４】
また、削除判定部１１８は、確認映像表示部１１７によって、再生処理が終了した場合、又は、確認映像表示部１１７によって、再生を行わないと判定された場合に、削除するか否かの判定を行うものである。
【００５５】
削除実行部１１９（削除実行手段に相当する）は、削除判定部１１８によって削除すると判定された場合に、映像記憶部１９１から削除範囲設定部１１４によって設定された削除対象映像情報及び削除対象音声情報を削除するものである。
【００５６】
図４は、ＨＤＤレコーダ１（主にＭＰＵ１１）の動作の一例を示すフローチャートである。なお、ここでは、便宜上、予め映像記録部１１１によって映像記憶部１９１に受信部１５によって受信された１のチャンネルの番組情報（＝映像情報及び音声情報）が格納されており、予め第１時間設定部１１２及び第２時間設定部１１３によって、それぞれ、第１所定時間Ｐ１及び第２所定時間Ｐ２が設定され、設定時間記憶部１２１に格納されている場合について説明する。
【００５７】
まず、削除範囲設定部１１４によって、削除開始位置Ｔ２及び削除終了位置Ｔ３が設定されたか否かの判定が行われる（Ｓ１０１）。設定されていないと判定された場合（Ｓ１０１でＮＯ）には、処理が待機状態とされる。設定されたと判定された場合（Ｓ１０１でＹＥＳ）には、確認開始位置設定部１１５によって、ステップＳ１０１において設定された削除開始位置Ｔ２から設定時間記憶部１２１に格納された第１所定時間Ｐ１前の位置が確認開始位置Ｔ１として設定され、確認終了位置設定部１１６によって、ステップＳ１０１において設定された削除終了位置Ｔ３から設定時間記憶部１２１に格納された第２所定時間Ｐ２後の位置が確認終了位置Ｔ４として設定される（Ｓ１０３）。
【００５８】
次いで、確認映像表示部１１７によって、再生処理を行うか否かの判定が行われる（Ｓ１０５）。再生処理を行わないと判定された場合（Ｓ１０５でＮＯ）には、処理がステップＳ１１５に進められる。再生処理を行うと判定された場合（Ｓ１０５でＹＥＳ）には、確認映像表示部１１７によって、ステップＳ１０３において設定された確認開始位置Ｔ１からステップＳ１０１において設定された削除開始位置Ｔ２までの映像情報及び音声情報が再生される（Ｓ１０７）。次に、確認映像表示部１１７によって、削除開始位置Ｔ２までの再生が終了したか否かの判定が行われる（Ｓ１０９）。削除開始位置Ｔ２までの再生が終了していないと判定された場合（Ｓ１０９でＮＯ）には、処理がステップＳ１０７に戻され、ステップＳ１０７以降の処理が繰り返し実行される。
【００５９】
削除開始位置Ｔ２までの再生が終了したと判定された場合（Ｓ１０９でＹＥＳ）には、確認映像表示部１１７によって、ステップＳ１０１において設定された削除終了位置Ｔ３から、ステップＳ１０３において設定された確認終了位置Ｔ４までの映像情報及び音声情報が再生される（Ｓ１１１）。そして、確認映像表示部１１７によって、確認終了位置Ｔ４までの再生が終了したか否かの判定が行われる（Ｓ１１３）。確認終了位置Ｔ４までの再生が終了していないと判定された場合（Ｓ１１３でＮＯ）には、処理がステップＳ１１１に戻され、ステップＳ１１１以降の処理が繰り返し実行される。
【００６０】
ステップＳ１０５でＮＯの場合、又は、確認終了位置Ｔ４までの再生が終了したと判定された場合（Ｓ１１３でＹＥＳ）には、削除判定部１１８によって、ステップＳ１０１において設定された削除対象映像情報及び削除対象音声情報を、映像記憶部１９１から削除するか否かの判定が行われる（Ｓ１１５）。削除しないと判定された場合（Ｓ１１５でＮＯ）には、処理がステップＳ１０１に戻され、ステップＳ１０１以降の処理が繰り返し実行される。削除すると判定された場合（Ｓ１１５でＹＥＳ）には、削除実行部１１９によって、映像記憶部１９１からステップＳ１０１において設定された削除対象映像情報及び削除対象音声情報が削除され（Ｓ１１７）、処理が終了される。
【００６１】
図５は、図４に示すフローチャートのステップＳ１０１において表示される削除範囲設定画面、及び、ステップＳ１０５において表示される再生要否設定画面の一例を示す画面図である。（ａ）は、図４に示すフローチャートのステップＳ１０１において削除範囲設定部１１４によってディスプレイ２１に表示される削除範囲設定画面４００であり、（ｂ）は、図４に示すフローチャートのステップＳ１０５において確認映像表示部１１７によって表示される再生要否設定画面４１０である。
【００６２】
（ａ）に示すように、削除範囲設定画面４００には、画面略中央部に、ガイダンス表示部４０１が表示され、ガイダンス表示部４０１の下側に、ＹＥＳボタン４０２及びＮＯボタン４０３が表示され、画面下部に、範囲設定部４０４が表示されている。ガイダンス表示部４０１は、削除開始位置Ｔ２及び削除終了位置Ｔ３を設定して行う削除処理（ここでは、「Ａ−Ｂ削除」という）を行うか否かを示すガイダンス情報を表示するものである。
【００６３】
ＹＥＳボタン４０２は、Ａ−Ｂ削除を実行する場合に押下されるボタンであって、ＮＯボタン４０３は、Ａ−Ｂ削除を実行しない場合に押下されるボタンである。ここで、「押下される」とは、リモコン３に配設された方向キーを介して選択状態とされ、リモコン３に配設された決定キー等の所定のキーが押下されることを意味している。
【００６４】
範囲設定部４０４は、削除開始位置Ｔ２及び削除終了位置Ｔ３を設定するものであって、削除開始位置表示マーク４０５及び削除終了位置表示マーク４０６が表示されている。削除開始位置表示マーク４０５は、映像記憶部１９１に格納された映像情報（又は、音声情報）における削除開始位置Ｔ２に対応する位置を示すマークであって、削除終了位置表示マーク４０６は、映像記憶部１９１に格納された映像情報（又は、音声情報）における削除終了位置Ｔ３に対応する位置を示すマークである。削除開始位置表示マーク４０５及び削除終了位置表示マーク４０６の位置は、リモコン３に配設された方向キーを介して左右に移動可能に構成されている。
【００６５】
ユーザは、削除開始位置表示マーク４０５及び削除終了位置表示マーク４０６の位置をリモコン３に配設された方向キーを介して所望する位置に移動させることによって、削除開始位置Ｔ２及び削除終了位置Ｔ３を設定することができる。
【００６６】
（ｂ）に示すように、再生要否設定画面４１０には、画面略中央部に、ガイダンス表示部４０１が表示され、ガイダンス表示部４１１の下側に、ＹＥＳボタン４１２及びＮＯボタン４１３が表示されている。ガイダンス表示部４１１は、再生処理を行うか否かを示すガイダンス情報（ここでは、「削除結果をご確認されますか？」との文字情報）を表示するものである。ＹＥＳボタン４１２は、再生処理を行う場合に押下されるボタンであって、ＮＯボタン４１３は、再生処理を行わない場合に押下されるボタンである。
【００６７】
このようにして、映像記憶部１９１に予め映像情報が格納されており、リモコン３を介してユーザからの操作入力が受け付けられて、受け付けられた操作入力に基づいて、映像記憶部１９１に格納された映像情報の内、削除する対象とする映像情報である削除対象映像情報の開始位置を示す削除開始位置Ｔ２、及び、削除対象映像情報の終了位置を示す削除終了位置Ｔ３が設定される。そして、削除開始位置Ｔ２から予め設定された第１所定時間Ｐ１前の位置が、削除対象映像情報を確認する際に再生する映像情報の開始位置を示す確認開始位置Ｔ１として設定され、設定された削除終了位置Ｔ３から予め設定された第２所定時間Ｐ２後の位置が、削除対象映像情報を確認する際に再生する映像情報の終了位置を示す確認終了位置Ｔ４として設定される。また、設定された確認開始位置Ｔ１から削除開始位置Ｔ２までの映像情報が映像記憶部１９１から読み出されて再生され、ディスプレイ２１に表示されると共に、設定された削除終了位置Ｔ３から確認終了位置Ｔ４までの映像情報が映像記憶部１９１から読み出されて再生され、ディスプレイ２１に表示される。更に、リモコン３を介してユーザからの操作入力を受け付けられて、受け付けられた操作入力に基づいて、設定された削除対象映像情報を映像記憶部１９１から削除するか否かが判定され、削除すると判定された場合に、映像記憶部１９１から設定された削除対象映像情報が削除されるため、不要部分を正確に削除することができる。
【００６８】
すなわち、設定された確認開始位置Ｔ１から削除開始位置Ｔ２までの映像情報が映像記憶部１９１から読み出されて再生され、ディスプレイ２１に表示されると共に、設定された削除終了位置Ｔ３から確認終了位置Ｔ４までの映像情報が映像記憶部１９１から読み出されて再生され、ディスプレイ２１に表示されるため、ユーザはディスプレイ２１に表示される削除対象映像情報の前後の映像情報を視認することによって、不要部分が正確に削除されているか否かを判断することができるのである。
【００６９】
また、リモコン３を介してユーザからの操作入力を受け付けられて、受け付けられた操作入力に基づいて、設定された削除対象映像情報を映像記憶部１９１から削除するか否かが判定され、削除すると判定された場合に、映像記憶部１９１から設定された削除対象映像情報が削除されるため、不要部分が正確に削除されていると判断した場合に、設定された削除対象映像情報を映像記憶部１９１から削除する旨の操作入力を行うことによって、映像記憶部１９１から設定された削除対象映像情報を削除することができるので、不要部分を正確に削除することができるのである。
【００７０】
更に、リモコン３を介してユーザからの操作入力が受け付けられて、受け付けられた操作入力に基づいて、削除対象映像情報を確認する際に再生する映像情報の開始位置を示す確認開始位置Ｔ１を規定する第１所定時間Ｐ１が設定されるため、第１所定時間Ｐ１としてユーザが所望する時間を設定することができる（＝ユーザが所望する確認開始位置Ｔ１を設定することができる）ので、利便性を向上することができる。
【００７１】
加えて、リモコン３を介してユーザからの操作入力が受け付けられて、受け付けられた操作入力に基づいて、削除対象映像情報を確認する際に再生する映像情報の終了位置を示す確認終了位置Ｔ４を規定する第２所定時間Ｐ２が設定されるため、第２所定時間Ｐ２としてユーザが所望する時間を設定することができる（＝ユーザが所望する確認終了位置Ｔ４を設定することができる）ので、利便性を向上することができる。
【００７２】
また、映像記憶部１９１に、映像情報に対応付けて音声情報が予め格納されている。そして、設定された確認開始位置Ｔ１から設定された削除開始位置Ｔ２までの音声情報が映像記憶部１９１から読み出されて再生され、スピーカ２２に出力されると共に、設定された削除終了位置Ｔ３から設定された確認終了位置Ｔ４までの音声情報が映像記憶部１９１から読み出されて再生され、スピーカ２２に出力される。また、削除すると判定された場合に、映像記憶部１９１から設定された削除対象情報に対応する音声情報が削除されるため、音声情報の不要部分を正確に削除することができる。
【００７３】
すなわち、設定された確認開始位置Ｔ１から削除開始位置Ｔ２までの音声情報が映像記憶部１９１から読み出されて再生され、スピーカ２２に出力されると共に、設定された削除終了位置Ｔ３から確認終了位置Ｔ４までの音声情報が映像記憶部１９１から読み出されて再生され、スピーカ２２に出力されるため、ユーザはスピーカ２２に出力される削除対象音声情報の前後の音声情報を確認することによって、音声情報の不要部分が正確に削除されているか否かを判断することができるのである。
【００７４】
また、リモコン３を介してユーザからの操作入力を受け付けられて、受け付けられた操作入力に基づいて、設定された削除対象音声情報を映像記憶部１９１から削除するか否かが判定され、削除すると判定された場合に、映像記憶部１９１から設定された削除対象音声情報が削除されるため、音声情報の不要部分が正確に削除されていると判断した場合に、設定された削除対象音声情報を映像記憶部１９１から削除する旨の操作入力を行うことによって、映像記憶部１９１から設定された削除対象音声情報を削除することができるので、音声情報の不要部分を正確に削除することができるのである。
【００７５】
なお、本発明は、以下の形態にも適用可能である。
（Ａ）本実施形態では、放送記録再生装置が、デジタル放送を受信してＨＤＤに格納可能に構成されたＨＤＤレコーダ１である場合について説明したが、放送記録再生装置が、テレビジョン放送を受信して、受信された映像情報を格納すると共に、格納された映像情報を再生可能に構成された装置であればよい。例えば、放送記録再生装置が、アナログ放送を受信する形態でもよいし、受信された映像情報を他の種類の記録媒体（例えば、ＤＶＤ等）に格納する形態でもよい。
【００７６】
（Ｂ）本実施形態では、映像再生装置がＨＤＤレコーダ１である場合について説明したが、映像再生装置が予め格納された映像情報を再生する装置であればよい。例えば、映像再生装置が、パーソナルコンピュータである形態でもよいし、ＤＶＤプレイヤである形態でもよい。
【００７７】
（Ｃ）本実施形態では、ＭＰＵ１１が、映像記録部１１１、第１時間設定部１１２、第２時間設定部１１３、削除範囲設定部１１４、確認開始位置設定部１１５、確認終了位置設定部１１６、確認映像表示部１１７、削除判定部１１８、削除実行部１１９等の機能部を備える場合について説明したが、映像記録部１１１、第１時間設定部１１２、第２時間設定部１１３、削除範囲設定部１１４、確認開始位置設定部１１５、確認終了位置設定部１１６、確認映像表示部１１７、削除判定部１１８、及び、削除実行部１１９の内、少なくとも１の機能部が回路等のハードウェアによって実現されている形態でもよい。
【図面の簡単な説明】
【００７８】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、削除範囲設定部によって設定される削除開始位置Ｔ２、削除終了位置Ｔ３、及び、確認開始位置設定部、確認終了位置設定部によってそれぞれ設定される確認開始位置Ｔ１、確認終了位置Ｔ４の一例を示す説明図である。
【図４】は、ＨＤＤレコーダ（主にＭＰＵ）の動作の一例を示すフローチャートである。
【図５】は、図４に示すフローチャートのステップＳ１０１において表示される削除範囲設定画面、及び、ステップＳ１０５において表示される再生要否設定画面の一例を示す画面図である。
【符号の説明】
【００７９】
１    ＨＤＤレコーダ（映像再生装置）
１１    ＭＰＵ
１１１    映像記録部（映像記録手段の一部）
１１２    第１時間設定部（第１時間設定手段の一部）
１１３    第２時間設定部（第２時間設定手段の一部）
１１４    削除範囲設定部（削除範囲設定手段の一部）
１１５    確認開始位置設定部（確認開始位置設定手段）
１１６    確認終了位置設定部（確認終了位置設定
１１７    確認映像表示部（確認映像表示手段）
１１８    削除判定部（削除判定手段の一部）
１１９    削除実行部（削除実行手段）
１２    ＲＡＭ
１２１    設定時間記憶部
１２２    削除範囲記憶部
１５    受信部（受信手段）
１９    ＨＤＤ
１９１    映像記憶部（映像記憶手段）
２    出力装置
２１    ディスプレイ（モニタ）
２２    スピーカ
３    リモコン（映像記録手段の一部、第１時間設定手段の一部、第２時間設定手段の一部、削除範囲設定手段の一部、及び、削除判定手段の一部）
【図１】
2009005125.tif 000003
【図２】
2009005125.tif 000004
【図３】
2009005125.tif 000005
【図４】
2009005125.tif 000006
【図５】
2009005125.tif 000007